(57)【特許請求の範囲】
【請求項１】
筐体内に配置され、原稿に面して移動し、原稿に記録された画像を読み取る読取手段を備えた画像読取装置において、
前記筐体に配置された電源スイッチと、
前記筐体に上下移動可能に設けられ、前記筐体を持上げるとき上方へ移動して前記読取手段を固定し、下方へ移動させると該読取手段の固定状態を解除する固定手段と、
前記固定手段に形成され、固定手段が前記読取手段を固定した状態で前記電源スイッチを遮蔽し、読取手段を固定解除したとき、前記電源スイッチの露出状態を維持するカバーと、
を有することを特徴とする画像読取装置。
【請求項２】
前記電源スイッチをＯＦＦにすると、前記読取手段を固定位置に移動させた後、電源を切断する制御部を設けたことを特徴とする請求項１に記載の画像読取装置。
【請求項３】
請求項１又は２に記載の画像読取装置を設置する専用台と、
前記専用台に前記画像読取装置が設置されると、前記固定手段を移動させ、前記読取手段の固定解除を行う解除手段と、
を有することを特徴とする画像形成装置。
【請求項４】
前記解除手段が、
前記専用台に対する前記画像読取装置の位置を決める位置決め部と、
前記位置決め部に設けられ、前記専用台に前記画像読取装置を設置するとき前記固定手段を移動させる解除部材と、
で構成されたことを特徴とする請求項３に記載の画像形成装置。
【発明の詳細な説明】
【０００１】
【発明の属する技術分野】
本発明は、原稿を所定の走査線に沿って光学的に走査した走査光を電気信号に変換することで前記原稿に記録された画像を読み取る画像読取装置及びこの画像読取装置を用いた画像形成装置に関する。
【０００２】
【従来の技術】
複写機、プリンタ、ファクシミリ装置等の画像形成装置の画像読取装置や、単独の装置としての画像読取装置には、光源やミラー等を搭載した読取手段としてのキャリッジが装備されており、この画像読取装置を工場等から出荷する際には、キャリッジが運搬中に動いて損傷する事態の発生を防止するため、種々の方法によって画像読取装置の筐体にキャリッジが固定される。
【０００３】
例えば、特開平９−２８９５７１号公報は、キャリッジにスリットを形成し、このスリットに係合可能なクリップを係合させると共に、クリップを画像読取装置の筐体に固定し、クリップを介してキャリッジを筐体に固定するものである。
【０００４】
また、特開平１０−３０４１４１号公報では、光学系移動制御部によってキャリッジの移動が制御され、キャリッジを所定の固定位置まで移動させた後、プラテンガラスの周囲に設けられた樹脂製カバーに取り付けられた固定ピンによってキャリッジを固定する。
【０００５】
しかし、キャリッジを固定するのを忘れて運搬したり、或いは、固定を解除するのを忘れて画像読取装置を起動したりする場合があり、ミラー等が損傷する等の不具合が生じる。
【０００６】
一方、特開平１０−３９４２９号公報では、開閉可能な原稿押え装置に取り付けられた固定部材を起立させ、原稿押え装置を閉止させると共に、キャリッジに設けられたフランジに形成された固定穴に固定部材が挿通され、これによって、ホームポジションに配置されたキャリッジを固定する。
【０００７】
また、画像読取装置を起動させる電源スイッチは原稿押え装置によって覆われており、原稿押え装置を開放して始めて電源スイッチが露出するようになっている。このため、画像読取装置を起動させるためには、原稿押え装置を開放するため、固定部材が固定穴から抜け、キャリッジが固定解除される。
【０００８】
しかし、原稿押え装置を閉止すると、電源スイッチは隠れてしまうため、キャリッジが固定解除された状態であるにも拘らず、電源スイッチを押下するためには原稿押え装置を開放しなければならない。
【０００９】
また、固定部材を倒すのを忘れた状態で、画像読取装置を起動させると、固定部材がホームポジションへ移動するキャリッジと衝突してその衝撃によりミラー等が破損する恐れが生じる。
【００１０】
【発明が解決しようとする課題】
本発明は上記事実を考慮し、キャリッジの固定が解除されなければ起動することはなく、また、キャリッジが固定解除された状態で電源スイッチが露出した状態を維持し、画像読取装置を運搬する際は必ずキャリッジが固定される画像読取装置及びこの画像読取装置を用いた画像形成装置を安価で得ることを目的としている。
【００１１】
【課題を解決するための手段】
請求項１に記載の発明は、筐体内に配置され、原稿に面して移動し、原稿に記録された画像を読み取る読取手段を備えた画像読取装置において、前記筐体に配置された電源スイッチと、前記筐体に上下移動可能に設けられ、前記筐体を持上げるとき上方へ移動して前記読取手段を固定し、下方へ移動させると該読取手段の固定状態を解除する固定手段と、前記固定手段に形成され、固定手段が前記読取手段を固定した状態で前記電源スイッチを遮蔽し、読取手段を固定解除したとき、前記電源スイッチの露出状態を維持するカバーと、を有することを特徴とする。
請求項１に記載の発明では、筐体内には、原稿に面して移動し原稿に記録された画像を読み取る読取手段が配置されている。筐体には固定手段を上下移動可能に設けており、筐体を持上げると、該固定手段が上方へ移動して読取手段を固定し、固定手段を下方へ移動させると読取手段の固定状態が解除されるようにしている。
【００１２】
また、固定手段にはカバーが形成されており、このカバーに手を掛け、筐体を持ち上げると、固定手段が上方へ移動すると共に読取手段が固定される。つまり、画像読取装置を運搬するときには、必然的に読取手段が固定されることとなり、読取手段が固定されていない状態で、画像読取装置が運搬されることはない。このため、画像読取装置の運搬時に読取手段が移動してミラー等が破損することはない。
また、読取手段が固定手段に固定された状態では、筐体に配置された電源スイッチはカバーによって遮蔽されるため、電源スイッチをＯＮすることはできない。したがって、読取手段が固定手段に固定された状態で、画像読取装置が起動することはないので、これにより、画像読取装置が故障することはない。
【００１３】
一方、筐体を持ち上げた後、筐体を台に載せ、カバーを下方へ移動させると、読取手段の固定状態が解除され、電源スイッチの露出状態が維持される。このため、読取手段が固定解除されているにも拘らず、電源スイッチがＯＮできないということはない。
【００１４】
以上のように、キャリッジの固定が解除されなければ画像形成装置を起動させることができないようにする固定手段を上下移動させるだけで、読取手段を固定或いは移動可能とするため、操作が簡単であり、低コストで実現することができる。
【００１８】
請求項２に記載の発明は、請求項１に記載の画像読取装置において、前記電源スイッチをＯＦＦにすると、前記読取手段を固定位置に移動させた後、電源を切断する制御部を設けたことを特徴とする。
請求項２に記載の発明では、電源スイッチをＯＦＦにすると、読取手段を固定位置に移動させた後、電源を切断する制御部を設けている。これにより、電源が切断された状態では、読取手段は常に固定位置に配置されており、カバーを持ち上げるだけで、読取手段を固定させることができるため、読取手段の固定忘れがない。
【００１９】
請求項３に記載の発明は、画像形成装置において、請求項１又は２に記載の画像読取装置を設置する専用台と、前記専用台に前記画像読取装置が設置されると、前記固定手段を移動させ、前記読取手段の固定解除を行う解除手段と、を有することを特徴とする。
請求項３に記載の発明では、画像読取装置を設置する専用台に画像読取装置が設置されると、解除手段によって固定手段を移動させ、読取手段の固定解除を行う。
【００２０】
このため、画像形成装置を起動する際は、必然的に読取手段は移動可能な状態となるため、読取手段が固定されているにも拘らず、画像形成装置を起動させることはない。
【００２１】
請求項４に記載の発明は、請求項３に記載の画像形成装置において、前記解除手段が、前記専用台に対する前記画像読取装置の位置を決める位置決め部と、前記位置決め部に設けられ、前記専用台に前記画像読取装置を設置するとき前記固定手段を移動させる解除部材と、で構成されたことを特徴とする。
請求項４に記載の発明では、位置決め部によって、画像形成装置に設けられた専用台に対する画像読取装置の位置が決められている。この位置決め部には解除部材が設けられており、専用台に画像読取装置を設置するとき、固定手段を移動させて読取手段の固定解除を行う。
【００２２】
このため、解除手段に位置決め部を備えることによって、別途位置決め手段を設ける必要がない。また、専用台に画像読取装置を設置するとき、解除部材によって読取手段の固定解除が行われるため、画像読取装置の設置が容易である。
【００２３】
【発明の実施の形態】
図１及び図２に示すように、第１形態に係る画像読取装置１２の筐体１４の上面には、開口部１４Ａが形成されており、この開口部１４Ａにはプラテンガラス１６が装着されている。また、筐体１４内には、矢印方向に沿って一対のガイド（図示省略）が配設されており、このガイドに沿って箱状のキャリッジ１８が移動可能となっている。
【００２４】
このキャリッジ１８にはプラテンガラス１６に載置された原稿を照射する光源２０やこの光源２０によって照射された原稿の反射光像を反射するミラー２２等が装備されており、キャリッジ１８の移動によって原稿に記録された画像情報を読み取っている。
【００２５】
また、筐体１４の側壁１４Ｂには、電源スイッチ２４が配設されており、この電源スイッチ２４をＯＮすると、キャリッジ１８が移動可能となり、原稿に記録された画像情報を読み取ることができる。電源スイッチ２４の下方には、矩形穴２６が形成されており、この矩形穴２６には略Ｔ字状を成した固定部材２５が設けられている。
【００２６】
この固定部材２５にはカバー２８と脚部３０とが備えられており、カバー２８は矩形穴２６よりも大きく形成され、筐体１４の外側に配置される。一方、脚部３０の先端部には、上方へ向かって係合爪３２が突設している。
【００２７】
また、脚部３０の幅は、矩形穴２６の幅と略同一となるようにしており、矩形穴２６の側縁部を摺動しながら矩形穴２６内を上下方向に移動可能となっている。このため、脚部３０は移動させない限り、そのままの位置で保持される。
【００２８】
ところで、キャリッジ１８の側壁１８Ａには、矩形状の被係合穴３４が形成されている。この被係合穴３４の幅は矩形穴２６の幅より若干大きくしている。また、被係合穴３４は矩形穴２６を正面にして見ると、被係合穴３４及び矩形穴２６の幅方向の中心位置は、互いに重なり合って位置している。
【００２９】
さらに、キャリッジ１８が固定位置（後述する）に配置されたとき、筐体１４の側壁１４Ｂの外側と、キャリッジ１８の側壁１８Ａの外側との離間距離Ｌは、脚部３０の基部から係合爪３２の基部までの長さと略同一にしている。
【００３０】
このため、係合爪３２を矩形穴２６及び被係合穴３４に挿通した後、カバー２８を上方へ移動させると共に、カバー２８と一体に係合爪３２が上方へ移動し、脚部３０が矩形穴２６の上縁部に当接して、係合爪３２が被係合穴３４の上縁部に係合する。これにより、キャリッジ１８を固定させることができる。
【００３１】
以上のような構成により、画像読取装置１２を運搬するときには、カバー２８に手を掛けて画像読取装置１２を持ち上げることで、カバー２８を介して必然的にキャリッジ１８が筐体１４に固定される。
【００３２】
このため、画像読取装置１２を運搬する際には、キャリッジ１８を固定し忘れることはないため、運搬中にキャリッジ１８が移動して、キャリッジ１８の搭載されたミラー２２等が破損することはない。
【００３３】
ここで、被係合穴３４の上縁部の高さは、矩形穴２６の上縁部の高さと略同一となるようにしている。これにより、係合爪３２を被係合穴３４の上縁部に係合させるとき、係合爪３２が被係合穴３４の上縁部に係合する前に、脚部３０が矩形穴２６の上縁部に当接して脚部３０が移動規制されたり、また、係合爪３２が被係合穴３４の上縁部に係合した状態で脚部３０が傾いたりしないようにしている。
【００３４】
一方、キャリッジ１８が筐体１４に固定された状態では、カバー２８が上方へ移動しており、この状態でカバー２８が電源スイッチ２４を遮蔽するようにしている。これにより、キャリッジ１８が筐体１４に固定された状態では、電源スイッチ２４を押下できないようにして、画像読取装置１２が起動しないようにしている。
【００３５】
また、電源スイッチ２４を押下するには、カバー２８を下方へ移動させなければならない。カバー２８を下方へ移動させると、被係合穴３４の上縁部に係合している係合爪３２が下方へ移動するため、係合爪３２の係合状態が解除され、キャリッジ１８は固定状態を解除される。カバー２８は下方へ移動した状態が維持されるため、キャリッジ１８の固定状態が解除されると、電源スイッチ２４は露出状態が維持される。
【００３６】
ここで、被係合穴３４の下縁部の高さは、矩形穴２６の下縁部の高さよりも下方に位置している。これにより、カバー２８を下方へ移動させたとき、脚部３０が被係合穴３４の下縁部に直接当接しないようにしている。このため、カバー２８と一体の脚部３０を下方へ移動させても、キャリッジ１８が衝撃を受けることはない。
【００３７】
また、係合爪３２が被係合穴３４の上縁部と係合解除した状態で、係合爪３２と被係合穴３４の上縁部及び下縁部との間には隙間が設けられるようにしており、キャリッジ１８を固定位置に移動させたとしても、キャリッジ１８が係合爪３２に衝突することがないようにしている。
【００３８】
次に、図２〜図４を参照して、図５に示すフローチャートに従って画像読取装置１２の機能について説明する。
【００３９】
中央演算装置３８には、メモリー４３が接続されている。このメモリー４３にはキャリッジ１８をホームポジションＨＰから固定位置Ｑへ移動させるための駆動モータ４２の回転角度等、種々のデータが記憶されており、これに基づいてキャリッジ１８が所定位置に配置される。
【００４０】
ステップ２００において、電源スイッチ２４のＯＦＦを検知すると、ステップ２０２でキャリッジ１８がホームポジションＨＰに配置されているか否かが判断される。
【００４１】
具体的には、ホームポジションセンサー４０によって判断され、ホームポジションセンサー４０がＯＮの場合は、キャリッジ１８がホームポジションＨＰに配置されていると判断され、ＯＦＦの場合は、キャリッジ１８がホームポジションに配置されていないと判断される。
【００４２】
ホームポジションセンサー４０がＯＮの場合、ステップ２０４において、駆動モータ４２を駆動させ、キャリッジ１８を画像読取領域へ移動させる。次に、ステップ２０６でキャリッジ１８がホームポジションＨＰに配置されているか否かが判断される。
【００４３】
ホームポジションセンサー４０がＯＦＦの場合、ステップ２０８において、駆動モータ４２を駆動させ、再度、キャリッジ１８をホームポジションＨＰへ移動させる。そして、ステップ２１０において、キャリッジ１８がホームポジションに配置されているか否かが判断される。
【００４４】
ホームポジションセンサー４０がＯＮの場合、ステップ２１２において、キャリッジ１８を固定位置Ｑへ移動させた後、ステップ２１４において、電源切断手段１５によって画像読取装置１２の電源をＯＦＦにする。
【００４５】
一方、ステップ２０２において、ホームポジションセンサー４０がＯＦＦの場合、ステップ２０８において、駆動モータ４２を駆動させ、キャリッジ１８をホームポジションＨＰ方向へ移動させる。
【００４６】
次に、ステップ２１０において、ホームポジションセンサー４０がＯＮの場合、ステップ２１２でキャリッジ１８を固定位置Ｑへ移動させ、キャリッジ１８が固定位置Ｑへ移動すると、ステップ２１４で電源切断手段１５によって画像読取装置１２の電源をＯＦＦにする。
【００４７】
以上のような構成により、画像読取装置１２の電源がＯＦＦとなった状態では、キャリッジ１８は必ず固定位置Ｑに位置していることになり、この状態でカバー２８に手を掛け、上方へ移動させるだけで、係合爪３２をキャリッジ１８の被係合穴３４の上縁部に係合させることができる。
【００４８】
また、キャリッジ１８の固定位置Ｑを設け、この固定位置Ｑをキャリッジ１８の画像読取領域（図４参照）とすることで、被係合穴３４との係合状態が解除された後も、筐体１４内には係合爪３２が残存するが、キャリッジ１８の移動軌跡外であるため、キャリッジ１８が係合爪３２と衝突することはない。
【００４９】
なお、ここでは、固定部材２５にカバー２８を備え、画像読取装置１２を運搬するときの作業性も考慮したが、画像読取装置１２を運搬するときにキャリッジが固定されていれば良いため、これに限るものではない。
【００５０】
例えば、図６に示すように、画像読取装置３１の筐体３３の側壁に、固定ネジ３５が挿通可能な挿通穴３３Ａを形成し、キャリッジ３７の側壁には、固定ネジ３５がねじ込み可能なネジ穴３７Ａを形成して固定ネジ３５によってキャリッジ３７を固定しても良い。これにより、固定ネジ３５がねじ込まれていない画像読取装置３１は、キャリッジ３７が固定されていないと判断できる。
【００５１】
また、固定ネジ３５には、電源スイッチ２４を遮蔽可能な遮蔽片３９を挿通させ、固定ネジ３５をキャリッジ３７のネジ穴３７Ａにねじ込んだとき、遮蔽片３９が電源スイッチ２４を遮蔽するようにしておけば良い。
【００５２】
次に、第２形態に係る画像読取装置について説明する。なお、第１形態に係る画像読取装置と略同一の内容については説明を割愛する。
【００５３】
図７及び図８に示すように、画像読取装置４４は画像形成装置４５の専用台４６に固定可能となっている。この専用台４６には固定ネジ４８が取付可能となっており、この固定ネジ４８を介して画像読取装置４４が専用台４６に固定される。
【００５４】
一方、固定部材５０の脚部５２には固定片５４が設けられており、この固定片５４は脚部５２から垂下して筐体５８の底面５８Ａと対面するように形成されている。
【００５５】
また、固定片５４が筐体５８の底面５８Ａに当接した状態で、係合爪６６が被係合穴３４の上縁部から係合解除されると共に、脚部５２と被係合部３４の上縁部及び下縁部との間で若干の隙間が生じるようにしている。
【００５６】
これにより、係合爪６６が被係合穴３４の上縁部から係合解除された状態で、キャリッジ１８が固定位置に移動したとしても、キャリッジ１８が係合爪６６に衝突しないようにしている。
【００５７】
一方、脚部５２の上面には、スプリング６０の一端部が当接しており、このスプリング６０の他端部は、筐体５８の天井面５８Ｂに当接し、カバー６２を上方へ引き上げる方向へ付勢し、係合爪６６が被係合穴３４の上縁部と係合している状態を維持している。このとき、カバー６２の上部によって電源スイッチ２４は遮蔽され、電源スイッチ２４を押下することはできない。
【００５８】
ところで、専用台４６には穴部４６Ａ（位置決め部）が形成されており、固定ネジ４８が挿通可能な大きさとなっている。一方、筐体５８の底面５８Ａには、穴部４６Ａに対応して穴部６８（位置決め部）が形成され、固定ネジ４８が挿通可能な大きさとなっている。この穴部６８に対応して固定片５４には、ネジ穴５４Ａが形成され、固定ネジ４８がねじ込み可能となっている。
【００５９】
画像読取装置４４を専用台４６に設置するとき、まず、固定ネジ４８のネジ部４８Ａの位置と筐体５８の穴部６８の位置とを合わせる。この状態で固定ネジ４８のネジ部４８Ａは、筐体５８の穴部６８を挿通すると、固定片５４のネジ穴５４Ａにねじ込み可能となる。
【００６０】
ここで、固定ネジ４８をねじ込むと、固定部材５０が下方へ除々に移動し、スプリング６０は付勢力に抗する方向へ引っ張られる。これにより、係合爪６６が被係合穴３４の上縁部との係合状態を解除されると共に、カバー６２が電源スイッチ２４の下方へ移動し、電源スイッチ２４が露出する。
【００６１】
このため、電源スイッチ２４を押下することができ、画像読取装置４４を起動させることができる。キャリッジ１８は筐体５８に固定されていないため、ホームポジションＨＰ（図５参照）へ移動させることができる。なお、固定ねじ４８は専用台４６と一体的に設けても良いし、別体としても良い。
【００６２】
また、ここでは、キャリッジ１８の移動を制御する電源スイッチ２４を画像読取装置４４自体に設けたが、必ずしも画像読取装置４４自体に電源スイッチ２４を設けなくても良い。
【００６３】
例えば、画像読取装置を専用台に設置すると画像読取装置が導通可能となり、画像形成装置本体に設けられた電源スイッチによってキャリッジの移動を制御するようにして、専用台に設置しなければ画像読取装置を起動できないようにしても良い。
【００６４】
これにより、画像読取装置には電源スイッチを設ける必要はなく、専用台に設置することを前提として、画像読取装置の製造時に始めからキャリッジを固定しておけば良い。
【００６５】
例えば、図９に示すように、画像読取装置７２の筐体７４内には、コ字状の固定部材７０が配置されており、上側に位置する脚部７６の先端には、キャリッジ１８の被係合穴３４の上縁部に係合可能な係合爪７６Ａが形成されている。
【００６６】
また、脚部７６にはスプリング６０の一端部が当接しており、スプリング６０の他端部は、筐体７４の天井面７４Ｂに当接し、固定部材７０を上方へ引き上げる方向へ付勢している。
【００６７】
一方、下側の脚部７８には固定ネジ４８のネジ部４８Ａがねじ込み可能なネジ穴７８Ａが形成されている。また、筐体７４の底面７４Ａには、ネジ穴７８Ａに対応して穴部７５が形成されている。
【００６８】
画像読取装置７２を専用台８０に設置するとき、専用台８０に形成された穴部８０Ａの位置と、固定ネジ４８のネジ部４８Ａの位置と、筐体７４の底面７４Ａに形成された穴部７５の位置と、を合わせて画像読取装置７２が専用台８０に設置される。
【００６９】
この状態で固定ネジ４８のネジ部４８Ａを筐体７４の穴部７５に挿通し、脚部７８のネジ穴７８Ａにねじ込むと、固定部材７０が下方へ移動して係合爪７６Ａが被係合穴３４の上縁部との係合状態が解除される。
【００７０】
このように、専用台８０に画像読取装置７２が設置されると、係合爪７６Ａが被係合穴３４の上縁部との係合状態は解除されるため、キャリッジ１８が固定された状態であるにも拘らず、画像読取装置７２が起動することはない。
【００７１】
次に、第３形態に係る画像読取装置について説明する。なお、第２形態に係る画像読取装置と略同一の内容については説明を割愛する。
【００７２】
図１０に示すように、画像読取装置８２の筐体８４内には、コ字状の固定部材８６が設けられている。この固定部材８６の上側の脚部８８の先端には、下方へ向かって突設した係合爪８８Ａが形成されている。
【００７３】
また、脚部８８にはスプリング９０の一端部が当接しており、スプリング９０の他端部が、筐体８４の天井面８４Ｂに当接して、固定部材８６を下方へ向かって付勢している。
【００７４】
このため、係合爪８８Ａは被係合穴３４の下縁部と係合した状態を維持することができる（仮想線で示す）。この状態で、固定部材８６の脚部９２は、筐体８４の底面８４Ａに略当接しており、脚部８８と被係合穴３４の上縁部との間には、隙間が設けられている。また、脚部９２と対面する筐体８４の底面８４Ａには、挿通穴９４が形成されている。
【００７５】
一方、専用台９６からは挿通穴９４に対応する位置に略円筒状の解除ピン９８が突出しており、専用台９６に画像読取装置８２を設置するとき、解除ピン９８が挿通穴９４を挿通する。これにより、固定部材８６は解除ピン９８の先端部によって脚部９２が押圧され、上方へ持ち上げられる。
【００７６】
このため、係合爪８８Ａが上方へ移動して、係合爪８８Ａと被係合穴３４の下縁部との係合が解除される。これにより、キャリッジ１８は筐体８４に対して移動可能となる。従って、キャリッジ１８が固定されているにも拘らず、画像形成装置を起動させる恐れはなく、キャリッジ１８に搭載されたミラー等が損傷することはない。
【００７７】
なお、ここでは、専用台９６に解除ピン９８を突出させ、専用台９６に画像読取装置８２を設置すると共に、固定部材８６を上方へ持ち上げ、係合爪８８Ａと被係合穴３４の下縁部との係合を解除させたが、専用台９６に画像読取装置８２を設置すると共に、キャリッジ１８が移動可能となれば良いので、これに限るものではない。
【００７８】
例えば、図１１に示すように、固定部材１００の脚部１０２から解除脚１０４を垂下させても良い。この解除脚１０４は筐体１０６の底面１０６Ａに形成された挿通穴１０８を挿通可能となっており、筐体１０６の裏面から突出している。
【００７９】
この解除脚１０４は画像読取装置１１０を運搬する際には、先端部がフリーであるため、スプリング９０の付勢力により固定部材１００が下方へ押圧され、係合部１１６が被係合穴３４の下端部と係合すると共に、脚部１０２は筐体１０６の底面１０６Ａに略当接した状態である（仮想線で示す）。
【００８０】
一方、専用台１１２には解除脚１０４が挿入可能な位置決め穴１１４が形成されている。この位置決め穴１１４の深さは、解除脚１０４が筐体１０６の裏面から突出した長さよりも長くなっている。このため、位置決め穴１１４に解除脚１０４を挿入すると、脚部１０２が押上げられ、係合爪１１６が被係合穴３４の下縁部との係合状態を解除される。
【００８１】
【発明の効果】
本発明は、上記構成としたので、請求項１に記載の発明では、読取手段が固定手段に固定された状態で、画像読取装置が起動することはないので、これにより、画像読取装置が故障することはない。また、固定手段が読取手段を係合解除したとき、電源スイッチの露出状態が維持されるため、読取手段が係合解除されているにも拘らず、電源スイッチがＯＮできないということはない。
【００８２】
さらに、画像読取装置を運搬するときには、必然的に読取手段が固定されるため、読取手段が固定されていない状態で、画像読取装置が運搬されることはない。このため、画像読取装置の運搬時に読取手段が移動してミラー等が破損することはない。また、固定手段を上下移動させるだけで読取手段を固定或いは移動可能とするため、操作が簡単であり、低コストで実現することができる。
【００８３】
請求項２に記載の発明では、電源が切断された状態では、読取手段は常に固定位置に配置されることとなり、カバーを持ち上げるだけで、読取手段を固定させることができるため、読取手段の固定忘れがない。請求項３に記載の発明では、画像形成装置を起動する際は、必然的に読取手段は移動可能な状態となるため、読取手段が固定されているにも拘らず、画像形成装置を起動させることはない。
【００８４】
請求項４に記載の発明では、解除手段に位置決め部を備えることによって、別途位置決め手段を設ける必要がない。また、専用台に画像読取装置を設置するとき、解除部材によって読取手段の係合解除が行われるため、画像読取装置の設置が容易である。
【図面の簡単な説明】
【図１】  第１形態に係る画像読取装置を示す斜視図である。
【図２】  第１形態に係る画像読取装置を示す概略断面図である。
【図３】  第１形態に係る画像読取装置のブロック図である。
【図４】  第１形態に係る画像読取装置に備えられたキャリッジの動作を
示す模式図である。
【図５】  第１形態に係る画像読取装置の動作のフローチャートである。
【図６】  第１形態に係る画像読取装置の変形例を示す概略断面図である
。
【図７】  第２形態に係る画像読取装置を用いた画像形成装置を示す斜視
図である。
【図８】  第２形態に係る画像読取装置を示す概略断面図である。
【図９】  第２形態に係る画像読取装置の変形例を示す概略断面図である
。
【図１０】  第３形態に係る画像読取装置を示す概略断面図である。
【図１１】  第３形態に係る画像読取装置の変形例を示す概略断面図であ
る。
【符号の説明】
１２    画像読取装置
２４    電源スイッチ
２５    固定部材（固定手段）
２８    カバー
３１    画像読取装置
３２    係合爪（固定手段）
３４    被係合穴（固定手段）
３５    固定ネジ（固定手段）
３７Ａ  ネジ穴（固定手段）
３８    中央演算装置（制御部）
３９    遮蔽片（カバー）
４４    画像読取装置
４６    専用台
４６Ａ  穴部（位置決め部、解除手段）
４８    固定ネジ（解除部材、解除手段）
５０    固定部材（固定手段）
６２    カバー
６６    係合爪（固定手段）
６８    穴部（位置決め部、解除手段）
７０    固定部材（固定手段）
７２    画像読取装置
７５    穴部（位置決め部、解除手段）
７６Ａ  係合爪（固定手段）
８０    専用台
８０Ａ  穴部（位置決め部、解除手段）
８２    画像読取装置
８６    固定部材（固定手段）
８８Ａ  係合爪（固定手段）
９２    脚部（設置手段）
９４    挿通穴（位置決め部、解除手段）
９６    専用台
９８    解除ピン（解除部材、解除手段）
１００  固定部材（固定手段）
１０４  解除脚（解除部材、解除手段）
１１０  画像読取装置
１１２  専用台
１１４  位置決め穴（位置決め部、解除手段）
１１６  係合爪（固定手段）
【図１】
0003896791.tif 000002
【図２】
0003896791.tif 000003
【図３】
0003896791.tif 000004
【図４】
0003896791.tif 000005
【図５】
0003896791.tif 000006
【図６】
0003896791.tif 000007
【図７】
0003896791.tif 000008
【図８】
0003896791.tif 000009
【図９】
0003896791.tif 000010
【図１０】
0003896791.tif 000011
【図１１】
0003896791.tif 000012